(57)【要約】  固定レールと、この固定レールに複数のボールを介して組み付けられる中間レールと、この中間レールに複数のボールを介して組み付けられる移動レールとを有し、長手方向において、前記中間レールが前記固定レールに対しスライド可能であり、前記移動レールが前記中間レールに対しスライド可能であるように構成とされたスライドレールユニットであって、前記中間レールの上下端には、長手方向に直交する断面において、上下方向に対して交差する方向に延設された上方支持部及び下方支持部が設けられており、前記下方支持部には、断面が底辺を上方に配置した概略二等辺三角形状とされ、この三角形の各辺稜部に前記ボールの転動溝が形成された下方ボールガイド部が設けられ、前記上方支持部には、断面が底辺を下方に配置した概略二等辺三角形状とされ、三角形の各辺稜部に前記ボールの転動溝が形成された上方ボールガイド部が設けられ、前記下方支持部に、前記断面が概略Ｃ字状をなして内面に前記ボールの転走溝が形成された前記固定レールが組み付けられ、前記上方支持部に、前記断面が概略Ｃ字状をなして内面に前記ボールの転走溝が形成されるとともに、上面が平坦に形成された前記移動レールが組み付けられ、前記固定レールの上に前記移動レールが積み重ねられるように配置されているスライドレールユニットである。
2008038472.tif 000002
【特許請求の範囲】
【請求項１】
固定レールと、この固定レールに複数のボールを介して組み付けられる中間レールと、この中間レールに複数のボールを介して組み付けられる移動レールとを有し、長手方向において、前記中間レールが前記固定レールに対しスライド可能であり、前記移動レールが前記中間レールに対しスライド可能であるように構成とされたスライドレールユニットであって、
前記中間レールの上下端には、長手方向に直交する断面において、上下方向に対して交差する方向に延設された上方支持部及び下方支持部が設けられており、
前記下方支持部には、断面が底辺を上方に配置した概略二等辺三角形状とされ、この三角形の各辺稜部に前記ボールの転動溝が形成された下方ボールガイド部が設けられ、
前記上方支持部には、断面が底辺を下方に配置した概略二等辺三角形状とされ、三角形の各辺稜部に前記ボールの転動溝が形成された上方ボールガイド部が設けられ、
前記下方支持部に、前記断面が概略Ｃ字状をなして内面に前記ボールの転走溝が形成された前記固定レールが組み付けられ、
前記上方支持部に、前記断面が概略Ｃ字状をなして内面に前記ボールの転走溝が形成されるとともに、上面が平坦に形成された前記移動レールが組み付けられ、
前記固定レールの上に前記移動レールが積み重ねられるように配置されているスライドレールユニット。
【請求項２】
前記中間レールは、長手方向に直交する断面が概略Ｃ字状をなしている請求項１に記載のスライドレールユニット。
【請求項３】
前記中間レールは、長手方向に直交する断面が概略Ｓ字状をなしている請求項１に記載のスライドレールユニット。
【請求項４】
長手方向に直交する断面において、前記移動レールの上面側に配置される２つの前記ボールの間に、部材を取り付けるための取付部が前記移動レールに形成されている請求項１に記載のスライドレールユニット。
【請求項５】
前記転動溝の曲率半径は、前記ボールの半径よりも大きく設定され、前記ボールと前記転動溝とが点接触するように構成されており、
前記ボールは、長手方向に直交する断面において、３つの前記ボールのそれぞれの中心、及び、前記３つのボールと前記３つの転動溝がそれぞれ接触する３つの接触点のそれぞれを結んだ３つの直線が、前記上方ボールガイド部あるいは前記下方ボールガイド部がなす三角形の略中心で交差するように配置されている請求項１に記載のスライドレールユニット。
【発明の詳細な説明】
【技術分野】
【０００１】
本発明は、固定レール、中間レール、移動レールを備え、長手方向において、前記中間レールが前記固定レールに対しスライド可能であり、前記移動レールが前記中間レールに対しスライド可能であるように構成とされたスライドレールユニットに関するものである。
本願は、２００６年９月２８日に出願された特願２００６−２６５１１８号に対し優先権を主張し、その内容をここに援用する。
【背景技術】
【０００２】
従来、家具やシステムキッチンの引き出し等の両側面には、スライド移動をスムースに行うために、それぞれスライドレールユニットが配設されたものが提供されている。
前述のスライドレールユニットとしては、例えば特許文献１には、以下の構成のものが提案されている。
固定レール及び移動レールは、概略平板状とされ、それぞれの上下端を長手方向に沿って折り曲げることによりボールの転走溝を形成している。中間レールは、長手方向に直交する断面が概略Ｉ字状とされ、その上下端をそれぞれ両側面に向けて曲げ起こすことによりボールの転動溝が形成されている。そして、中間レールの側面に対向するように、それぞれ固定レール及び移動レールが配設され、対向配置された転動溝と転走溝との間にボールが配置されている。【０００３】
この構成のスライドレールユニットにおいては、固定レール及び移動レールは、その上下端がボールを保持可能な程度に曲げ起こしただけの形状であり、これら固定レール及び移動レールの断面２次モーメントが小さく、荷重等により曲げモーメントやねじれモーメントが作用した場合に、変形を起こし易いものであった。また、引き出しの両側面に配設されるスライドレールユニット同士の取り付け位置がずれた場合にも、これら固定レール及び移動レールに曲げモーメントやねじれモーメントが作用して変形してしまうおそれがあった。このように変形することにより、移動レールと中間レール、中間レールと固定レールとの間に配置されたボールの転動が阻害され、スライド移動をスムーズにできなくなってしまうといった問題があった。【０００４】
一方、特許文献２には、長手方向に直交する断面を概略Ｉ字状とした中間レールの上下端に、移動レール及び固定レールを上下方向に積み重ねるように配置したものが提案されている。この構成のスライドレールユニットにおいては、移動レール及び固定レールがそれぞれ幅広に構成されて断面２次モーメントが大きくなり、曲げモーメントやねじれモーメントによる変形を抑制することが可能となる。
【特許文献１】特開２００４−１１３５１２号公報
【特許文献２】特開昭６２−２１５１２０号公報
【発明の開示】
【発明が解決しようとする課題】
【０００５】
しかしながら、特許文献２に記載されたスライドレールユニットでは、中間レールは、その断面が概略Ｉ字状とされ、幅が狭くて断面２次モーメントが小さく、曲げモーメントやねじれモーメントによって変形し易い形状とされている。中間レールが変形することにより、やはり、移動レールと中間レール、中間レールと固定レールとの間に配置されたボールの転動が阻害され、スライド移動をスムーズにできなくなってしまうといった問題があった。【０００６】
特に、冷蔵庫等のスライド式収容庫にスライドレールユニットを適用する場合には、冷蔵庫本体が樹脂成形品であって固定レールを固定する際に変形し易く、収容庫の両側面に配置されたスライドレールユニット同士を精度良く取り付けることができない場合がある。この取付け誤差によって、固定レール、移動レール及び中間レールにねじれが生じてスライド移動をスムーズにできなくなるおそれがある。【０００７】
また、特許文献２に記載のスライドレールユニットにおいては、中間レールが断面概略Ｉ字状に形成されていて、その上下端にそれぞれ固定レール及び移動レールが、前記断面において３つのボールを介して組み付けられている。ここで、一つのボールが中間レールの上下端面に配置されることになり、移動レールの上面にこのボールの転走溝を形成する必要がある。このため、移動レールの上面が上方に突出した形状とされており、移動レールに引き出し等の部材を取り付けることが困難であった。
【課題を解決するための手段】
【０００８】
本発明は、前述の事情に鑑みてなされたものであって、中間レール、移動レール及び固定レールのねじれやたわみ等の変形を抑制して、取り付け誤差があってもスムーズにスライド移動させることが可能であるとともに、移動レールに引き出し等の部材を取り付けることが容易なスライドレールユニットを提供することを目的とする。【０００９】
この課題を解決するために、本発明に係るスライドレールユニットは、固定レールと、この固定レールに複数のボールを介して組み付けられる中間レールと、この中間レールに複数のボールを介して組み付けられる移動レールとを有し、長手方向において、前記中間レールが前記固定レールに対しスライド可能であり、前記移動レールが前記中間レールに対しスライド可能であるように構成とされたスライドレールユニットであって、前記中間レールの上下端には、長手方向に直交する断面において、上下方向に対して交差する方向に延設された上方支持部及び下方支持部が設けられており、前記下方支持部には、断面が底辺を上方に配置した概略二等辺三角形状とされ、この三角形の各辺稜部に前記ボールの転動溝が形成された下方ボールガイド部が設けられ、前記上方支持部には、断面が底辺を下方に配置した概略二等辺三角形状とされ、三角形の各辺稜部に前記ボールの転動溝が形成された上方ボールガイド部が設けられ、前記下方支持部に、前記断面が概略Ｃ字状をなして内面に前記ボールの転走溝が形成された前記固定レールが組み付けられ、前記上方支持部に、前記断面が概略Ｃ字状をなして内面に前記ボールの転走溝が形成されるとともに、上面が平坦に形成された前記移動レールが組み付けられ、前記固定レールの上に前記移動レールが積み重ねられるように配置されている。【００１０】
この構成のスライドレールユニットにおいては、中間レールが上下方向に対して交差する方向に延設された上方支持部、下方支持部を有しているので、中間レールも幅広な形状とされて断面２次モーメントが大きくなり、ねじれ、たわみ等の変形を抑制することができる。また、移動レール及び固定レールも断面概略Ｃ字状をなしていて断面２次モーメントが大きく、ねじれ、たわみ等の変形しにくい形状とされている。【００１１】
また、移動レール及び固定レールが組み付けられる上方支持部及び下方支持部には、断面概略二等辺三角形状をなして各辺稜部に転動溝が設けられた上方ボールガイド部及び下方ボールガイド部が形成されているので、長手方向に直交する断面において、移動レール及び固定レールは、前記転動溝に配置された３つのボールを介して中間レールに支持されている。ここで、取り付け誤差や荷重等により移動レール及び固定レールにねじれモーメントが作用した場合には、移動レール及び固定レールが、ボールに沿ってこれらボールガイド部回りに回転して傾くことになり、固定レール、移動レール及び中間レールのねじれ変形を防止できる。
さらに、移動レール及び固定レールが回転して傾いても、これらが前記断面において３つのボールを介して中間レールに組み付けられているので、スライド移動をスムーズに行うことができる。【００１２】
また、上方ボールガイド部は、断面が底辺を下方に配置した概略二等辺三角形状とされているので、前記断面において２つのボールが上方に配置されることになる。これにより、移動レールの上面の両端に前記ボールの転走溝を形成すればよく、前記上面を平坦に形成することが可能となる。よって、移動レールの上面に引き出し等の部材を容易に取り付けることができる。【００１３】
ここで、中間レールを、長手方向に直交する断面が概略Ｃ字状をなすように形成してもよい。
この場合には、中間レールが一方向に開口するＣ字状とされているので、ロールフォーミング等によって成形しやすく、このスライドレールユニットを低コストで製作することができる。【００１４】
また、中間レールを、長手方向に直交する断面が概略Ｓ字状をなすように形成してもよい。
この場合には、中間レールに対して移動レールと固定レールとが互いに反対側から組み付けられることになり、レールを引き出した状態において側面にボールの転動溝が露出しないように構成することが可能となる。【００１５】
また、長手方向に直交する断面において、前記移動レールの上面側に配置される２つの前記ボールの間に、部材を取り付けるための取付部を前記移動レールに形成しても良い。
この場合には、取付部を利用することで、引き出し等の収容部材を移動レールの上面に容易に取り付けることができる。【００１６】
また、前記転動溝の曲率半径を、ボールの半径よりも大きく設定して前記ボールと前記転動溝とが点接触するように構成し、前記ボールを、長手方向に直交する断面において、３つの前記ボールのそれぞれの中心、及び、前記３つのボールと前記３つの転動溝がそれぞれ接触する３つの接触点のそれぞれを結んだ３つの直線が、前記上方ボールガイド部あるいは前記下方ボールガイド部がなす三角形の略中心で交差するように配置しても良い。
この場合、移動レール及び固定レールが、前記上方ボールガイド部あるいは前記下方ボールガイド部がなす三角形の中心を回転中心としてさらに回転しやすくなり、取り付け誤差や荷重等により移動レール及び固定レールにねじれモーメントが作用した場合でも、固定レール、移動レール及び中間レールの変形を防止できるともに、これらのレールのスライド移動をスムーズに行うことができる。
【発明の効果】
【００１７】
本発明によれば、中間レール、固定レール及び移動レールのねじれやたわみ等の変形を抑制して、取り付け誤差があってもスムーズにスライド移動させることが可能であるとともに、移動レールに引き出し等の部材を取り付けることが容易なスライドレールユニットを提供することができる。
【図面の簡単な説明】
【００１８】
【図１】図１は、本発明の実施形態であるスライドレールユニットの斜視図である。
【図２】図２は、図１に示すスライドレールユニットの断面図である。
【図３】図３は、図１に示すスライドユニットを冷蔵庫のスライド式収容庫に適用した例を示す断面図である。
【図４】図４は、本実施形態の変形例１であるスライドレールユニットの断面図である。
【図５】図５は、本実施形態の変形例２であるスライドレールユニットの断面図である。
【図６】図６は、本実施形態の変形例３であるスライドレールユニットの断面図である。
【図７】図７は、本実施形態の変形例４であるスライドレールユニットの断面図である。
【図８】図８は、本実施形態の変形例５であるスライドレールユニットの断面図である。
【図９】図９は、本実施形態の変形例６であるスライドレールユニットの断面図である。
【符号の説明】
【００１９】
１０  スライドレールユニット、１１  ボール、２０  固定レール、
２１  転走溝、３０  中間レール、３２Ａ  上方支持部、３２Ｂ  下方支持部、３３Ａ  上方ボールガイド部、３３Ｂ  下方ボールガイド部、３４  転動溝、４０  移動レール、４１  転走溝、４２  上面、４３  取付孔（取付部）
【発明を実施するための最良の形態】
【００２０】
以下に、本発明の実施形態であるスライドレールユニットについて添付した図面を参照して説明する。
図１及び図２に、本発明の実施形態であるスライドレールユニット１０を示す。このスライドレールユニット１０は、固定レール２０と、この固定レール２０に複数のボール１１を介して組み付けられる中間レール３０と、この中間レール３０に複数のボール１１を介して組み付けられる移動レール４０とを有している。【００２１】
中間レール３０は、図２に示すように、長手方向に直交する断面が概略Ｃ字状をなしており、上下方向に延びる本体部３１と、この本体部３１の上端から一方側（図２において右側）に向けて突出する上方支持部３２Ａと、本体部３１の下端から一方側に向けて突出する下方支持部３２Ｂとを備えている。つまり、中間レール３０には上下方向に対して交差する方向に延設された上方支持部３２Ａ及び下方支持部３２Ｂが設けられているのである。【００２２】
上方支持部３２Ａには、前記断面が底辺を下方に配置した概略二等辺三角形状とされた上方ボールガイド部３３Ａが形成されている。この上方ボールガイド部３３Ａがなす三角形の各辺稜部は、三角形の内側に向けて凹んでいて、ボール１１が転動する転動溝３４とされている。これにより、前記断面において、上方ボールガイド部３３Ａには、上方に２つのボール１１が配置され、下方に１つのボール１１が配置されることになる。なお、本実施形態においては、上方ボールガイド部３３Ａの断面は概略正三角形状をなしており、前記３つのボール１１は、上方ボールガイド部３３Ａがなす三角形の中心を中心として、周方向に１２０°間隔に配置されている。【００２３】
また、下方支持部３２Ｂには、前記断面が底辺を上方に配置した概略二等辺三角形状とされた下方ボールガイド部３３Ｂが形成されている。この下方ボールガイド部３３Ｂがなす三角形の各辺稜部は、三角形の内側に向けて凹んでいて、ボール１１が転動する転動溝３４とされている。これにより、前記断面において、下方ボールガイド部３３Ｂには、下方に２つのボール１１が配置され、上方に１つのボール１１が配置されることになる。なお、本実施形態においては、下方ボールガイド部３３Ｂの断面は概略正三角形状をなしており、前記３つのボール１１は、下方ボールガイド部３３Ｂがなす三角形の中心を中心として、周方向に１２０°間隔に配置されている。【００２４】
また、本実施形態においては、上方ボールガイド部３３Ａの下側に設けられた転動溝３４と下方ボールガイド部３３Ｂの上側に設けられた転動溝３４とが、互いに対向するように配置されており、これらの転動溝３４にそれぞれ収容されるボール１１、１１の幅方向位置が一致するように構成されている。また、中間レール３０は、上下方向に２分割する基準面に対して対称な形状とされている。【００２５】
さらに、転動溝３４の曲率半径は、ボール１１の半径よりも大きく設定されており、ボール１１と転動溝３４とが点接触するように構成されている。そして、前記断面において、３つのボール１１のそれぞれの中心、及び、３つのボール１１と３つの転動溝３４がそれぞれ接触する３つの接触点のそれぞれを結んだ３つの直線（３つの直線の各々は、３つのボール１１の内の何れか１つの中心、及び、この１つのボール１およびこの１つのボール１と接触する１つの転動溝３４の接触点を結んだ直線である）は、上方ボールガイド部３３Ａあるいは下方ボールガイド部３３Ｂがなす三角形の中心で交差するように配置されている。【００２６】
固定レール２０は、長手方向に直交する断面が概略Ｃ字状をなしており、開口部が他方側（図２において左側）を向くようにして、下方ボールガイド部３３Ｂを包み込むように組み付けられている。【００２７】
固定レール２０の内面には、長手方向に延びる３条の転走溝２１が設けられており、これらの転走溝２１は、中間レール３０に組み付けられた状態で、下方ボールガイド部３３Ｂの３つの転動溝３４とそれぞれ対向するように配置されている。ここで、転走溝２１は、固定レール２０が長手方向に沿って折り曲げられることにより形成されており、転走溝２１の曲率半径は、ボール１１の半径よりも大きく設定され、ボール１１と転走溝２１とが点接触するように構成されている。
ボール１１は、下方ボールガイド部３３Ｂの転動溝３４と固定レール２０の転走溝２１との間を転動し、固定レール２０に対し中間レール３０を長手方向にスライド移動させる。  【００２８】
また、固定レール２０の他方側の側壁部には、他方側に向けて延びるとともにさらに上方に向けて延設され、例えば後述する冷蔵庫本体５５の側壁に装着される装着部２２が設けられている。この装着部２２には、後述する固定ボルト５７を挿通するための挿通孔２３が設けられている。【００２９】
移動レール４０は、固定レール２０と同様に、長手方向に直交する断面が概略Ｃ字状をなしており、開口部が他方側（図２において左側）を向くようにして、上方ボールガイド部３３Ａの周囲を包み込むように組み付けられている。
移動レール４０の内面には、長手方向に延びる３条の転走溝４１が設けられており、これらの転走溝４１は、中間レール３０に組み付けられた状態で、上方ボールガイド部３３Ａの３つの転動溝３４とそれぞれ対向するように配置されている。ここで、転走溝４１は、移動レール４０が長手方向に沿って折り曲げられることにより形成されており、転走溝４１の曲率半径は、ボール１１の半径よりも大きく設定され、ボール１１と転走溝４１とが点接触するように構成されている。
ボール１１は、上方ボールガイド部３３Ａの転動溝３４と移動レール４０の転走溝４１との間を転動し、移動レール４０を中間レール３０に対し長手方向にスライド移動させる。【００３０】
移動レール４０の上面４２は、上下方向に対して直交するように延びる平面状に形成されており、この上面４２の両端が折り曲げられて、上方ボールガイド部３３Ａの上方に向けられた２つの転動溝３４、３４にそれぞれ対向する２つの転走溝４１、４１が形成されている。また、この移動レール４０の上面４２には、後述する収容庫５０等の収容部材を取り付けるための取付孔４３が形成されている。
さらに、移動レール４０の一方側の側壁面には、前記固定レール２０よりも一方側に向けて突出した突出部４４が形成されている。【００３１】
これら中間レール３０、移動レール４０及び固定レール２０は、金属板をロールフォーミングすることで成形することが可能である。また、プレス機を用いた曲げ加工や引き抜き、押出加工によっても成形することができる。【００３２】
また、中間レール３０の下方ボールガイド部３３Ｂと固定レール２０との間の隙間、中間レール３０の上方ボールガイド部３３Ａと移動レール４０との間の隙間には、ボール１１を長手方向の所定の位置に整列させるためのリテーナ（図示なし）が介装されている。リテーナには、ボール１１の直径よりも僅かに大径とされたボール保持孔（図示なし）が穿設されており、ボール１１は、これらボール保持孔内に収容された状態で転動するように構成されている。なお、本実施形態においては、リテーナは合成樹脂により構成されている。【００３３】
このような構成とされたスライドレールユニット１０は、例えば冷蔵庫のスライド式収容庫５０に取り付けられて使用される。図３に、本実施形態であるスライドレールユニット１０が適用された収容庫５０のスライド方向に直交する断面図を示す。【００３４】
収容庫５０の両側面に、本実施形態であるスライドレールユニット１０Ａ、１０Ｂがそれぞれ配置されている。
固定レール２０の装着部２２に形成された挿通孔２３に固定ボルト５７が挿通され、この固定ボルト５７が冷蔵庫本体５５の側壁に設けられたボルト孔５６に螺着されることにより、固定レール２０が冷蔵庫本体５の側壁に固定されている。なお、本実施形態においては、図３に示すように、固定レール２０の取り付けにおいて、一のスライドレールユニット１０Ａと他のスライドレールユニット１０Ｂとで、上下方向にずれｈが生じている。【００３５】
収容庫５０は、その両側面に、下側に向けて開口するとともに幅が前記移動レール４０の幅よりも一段大きくされた取付溝部５１が設けられており、移動レール４０の上にこの取付溝部５１を被せるようにして配置され、取付溝部５１の底面５２が移動レール４０の上面４２に当接され、取付孔４３に取付ボルト５３が締結されて固定されている。【００３６】
このスライド式の収容庫５０を冷蔵庫本体５５から引き出す際には、スライドレールユニット１０Ａ、１０Ｂの移動レール４０と収容庫５０とが一体となって中間レール３０に対してスライド移動するとともに、中間レール３０が冷蔵庫本体５５に固定された固定レール２０に対してスライド移動することになり、収容庫５０が大きく開口させられる構成とされている。【００３７】
本実施形態であるスライドレールユニット１０によれば、中間レール３０が上下方向に対して交差する方向に延設された上方支持部３２Ａ及び下方支持部３２Ｂを有しており、断面概略Ｃ字状をなしているので、断面２次モーメントが大きくなり、ねじれ、たわみ等の変形を抑制することができる。同様に、移動レール４０及び固定レール２０も断面概略Ｃ字状をなしていて断面２次モーメントが大きく、ねじれ、たわみ等の変形しにくい形状とされている。【００３８】
また、固定レール２０及び移動レール４０は、長手方向に直交する断面において、内面に形成された転走溝２１、４１と上方ボールガイド部３３Ａ及び下方ボールガイド部３３Ｂの転動溝３４との間に配置された３つのボール１１を介して中間レール３０に支持されており、これら３つのボール１１のそれぞれの中心と転動溝３４とのぞれぞれの接触点とを結んだ直線は、上方ボールガイド部３３Ａ及び下方ボールガイド部３３Ｂがなす三角形の中心で交差するように配置されている。
したがって、例えば図３に示すように取り付け時のずれｈにより、中間レール３０にねじれモーメントが作用した場合でも、固定レール２０と中間レール３０とが、ボール１１に沿って下方ボールガイド部３３Ｂの三角形の中心を回転中心として矢印Ｘ方向に相対的に回転することになり、固定レール２０及び中間レール３０の変形を防止できる。同様に、収容庫５０に荷重が作用して移動レール４０にねじれモーメントが作用する場合でも、移動レール４０が、ボール１１に沿って上方ボールガイド部３３Ａの三角形の中心を回転中心として回転し、移動レール４０及び中間レール３０の変形を防止できる。【００３９】
さらに、固定レール２０及び移動レール４０が回転して傾いても、中間レール３０との間にボール１１が介在することになり、スライド移動をスムーズに行うことができる。また、本実施形態では、転走溝２１、４１及び転動溝３４の曲率半径は、ボール１１の半径よりも大きく設定され、ボール１１と転走溝２１、４１及び転動溝３４とが点接触するように構成されているので、固定レール２０及び移動レール４０が傾いた場合でも、ボール１１の転動を妨げることがなく、スライド移動をスムーズに行うことができる。【００４０】
また、移動レール４０の上面４２が平坦に形成され、長手方向に直交する断面において上方支持部３２Ａの上方に位置する２つのボール１１、１１の間に取付孔４３が形成されているので、移動レール４０の上面４２に収容庫５０を容易に取り付けることができる。なお、本実施形態においては、収容庫５０の両側面に取付溝部５１が形成されているので、この取付溝部５１の底面５２と移動レール４０の上面４２とを密着させることで、収容庫５０が移動レール４０に支持される。【００４１】
また、中間レール３０が断面概略Ｃ字状をなすとともに、上方ボールガイド部３３Ａ及び下方ボールガイド部３３Ｂが断面概略正三角形状に折り曲げられた構成とされているので、金属板を折り曲げることでこの中間レール３０を成形することができ、ロールフォーミング等により低コストで製作することができる。
移動レール４０、固定レール２０も断面概略Ｃ字状をなすとともに、ボール１１の転走溝２１、４１が折り曲げて形成されているので、ロールフォーミング等により低コストで製作することができる。【００４２】
さらに、本実施形態においては、移動レール４０の一方側の側面に固定レール２０よりも一方側に突出する突出部４４が形成されているので、移動レール４０に取り付けた収容庫５０と固定レール２０との接触を防止でき、収容庫５０のスライド移動をスムーズに行うことができる。【００４３】
次に、本実施形態の変形例について説明する。
図４に示す変形例１は、中間レール３０の上方ボールガイド部３３Ａ及び下方ボールガイド部３３Ｂが、中間レール３０の断面がなすＣ字の内側に向かって折り曲げられることで形成されている。
図５に示す変形例２は、中間レール３０の本体部３１にリブ６１を形成して剛性を向上させたものである。【００４４】
図６に示す変形例３は、中間レール３０が断面Ｓ字状に形成されたものである。この場合、中間レール３０に対して移動レール４０と固定レール２０とが互いに反対側から組み付けられることになり、これらのレールを引き出した状態において、他方側（図６において左側）から見てボール１１が露出しないように構成することができる。なお、変形例３においては、上方ボールガイド部３３Ａが下方ボールガイド部３３Ｂよりも一方側にずれて形成され、固定レール２０よりも一方側に移動レール４０が位置するように構成されている。【００４５】
図７に示す変形例４は、中間レール３０を断面Ｓ字状に形成するとともに上方ボールガイド部３３Ａと下方ボールガイド部３３Ｂの幅方向位置が一致させられている。ただし、他方側（図７において左側）から組み付けられた移動レール４０の一方側（図７において右側）端部に固定レール２０よりも一方側に向けて突出したツバ部６２が設けられている。これにより、移動レール４０に取り付けられた収容部材と固定レール２０との接触を防止している。【００４６】
図８に示す変形例５は、図６に示す中間レール３０の上方ボールガイド部３３Ａ及び下方ボールガイド部３３Ｂの折り曲げ方向を逆にして成形したものである。
図９に示す変形例６は、中間レール３０を断面Ｓ字状に形成するとともに、折り曲げ角度を緩やかにしてロールフォーミング等による成形を容易にしたものである。【００４７】
以上、本発明の実施形態であるスライドレールユニットについて説明したが、本発明はこれに限定されることはなく、その発明の技術的思想を逸脱しない範囲で適宜変更可能である。
例えば、冷蔵庫のスライド式収容庫に適用されるスライドレールユニットとして説明したが、これに限定されることはなく、家具の引き出しや複写機のペーパートレイに適用するものであってもよい。ただし、冷蔵庫等のように樹脂成形品の冷蔵庫本体に固定レールを固定する場合には、冷蔵庫本体の変形等により取り付け誤差が生じやすいので、本発明のスライドレールユニットを適用することが特に効果的である。【００４８】
また、移動レールに収容庫（収容部材）を取り付ける方式として取付ボルトを利用したものとして説明したが、これに限定されることはなく、他の取付方法を適用しても良い。
さらに、中間レールの形状については、実施形態及び変形例に示すように、設計の自由度が高く、要求される性能に併せて適宜設定してもよい。
【図１】
2008038472.tif 000003
【図２】
2008038472.tif 000004
【図３】
2008038472.tif 000005
【図４】
2008038472.tif 000006
【図５】
2008038472.tif 000007
【図６】
2008038472.tif 000008
【図７】
2008038472.tif 000009
【図８】
2008038472.tif 000010
【図９】
2008038472.tif 000011
【国際調査報告】
2008038472.tif 000012
2008038472.tif 000013
2008038472.tif 000014
2008038472.tif 000015